(57)【要約】【課題】タッチパネルを有する表示部の画面に対する鋭利物での操作を抑制して、当該表示部を保護する。【解決手段】タッチパネルを有する表示部４７３と、表示部４７３に表示されている操作画面に対するユーザー操作をタッチパネルにより受け付ける操作受付部１０１と、操作受付部１０１が受け付けたユーザー操作に応じて、画像形成装置１の動作を制御する制御部１００と、表示部４７３の画面に接触した接触物の接触圧力値及び接触面積を検出する圧力センサー４７４と、圧力センサー４７４が検出した接触圧力値及び接触面積に基づいて、接触物が鋭利物であるか否かを判定する判定部１０４と、を備え、制御部１００は、判定部１０４により接触物が鋭利物であると判定された場合に、鋭利物での操作を抑制するための予め定められた処理を実行する。【選択図】図１
2019185560.tif 000002
【特許請求の範囲】
【請求項１】
タッチパネルを有する表示部と、
前記表示部に表示されている操作画面に対するユーザー操作を、前記タッチパネルを介して受け付ける操作受付部と、
前記操作受付部が受け付けたユーザー操作に応じて、本電子機器の動作を制御する制御部と、
前記表示部において前記タッチパネルが設けられている画面部分に接触物が接触したときの接触圧力値及び接触面積を検出する検出部と、
前記検出部が検出した接触圧力値及び接触面積に基づいて、前記接触物が鋭利物であるか否かを判定する判定部と、を備え、
前記制御部は、前記判定部により前記接触物が鋭利物であると判定された場合に、鋭利物での操作を抑制するための予め定められた処理を実行する電子機器。
【請求項２】
前記判定部は、前記接触圧力値が予め定められた値以上であり、かつ、前記接触面積が予め定められた大きさ以下であるとき、前記接触物が鋭利物であると判定する請求項１に記載の電子機器。
【請求項３】
前記予め定められた処理は複数であり、
前記予め定められた処理のうちから前記制御部に実行させる処理の選択を、本電子機器の管理者から受け付ける選択受付部を更に備え、
前記制御部は、前記判定部により前記接触物が鋭利物であると判定された場合に、前記選択受付部により受け付けられた前記処理を実行する請求項１又は請求項２に記載の電子機器。
【請求項４】
前記制御部は、前記操作画面を拡大して表示する処理を、前記予め定められた処理として行う請求項１乃至請求項３のいずれかに記載の電子機器。
【請求項５】
前記制御部は、鋭利物での操作が不適切な行為であることをユーザーに認識させるための警告画面を前記表示部の画面上に表示する処理を、前記予め定められた処理として行う請求項１乃至請求項３のいずれかに記載の電子機器。
【請求項６】
前記制御部は、前記警告画面と一緒に、前記警告画面を消去させるための消去ボタンを前記表示部の画面上に表示する処理を、前記予め定められた処理として行い、
更に、前記制御部は、
前記操作受付部が前記消去ボタンに対するユーザー操作を受け付けると、
前記判定部が前記消去ボタンに対するユーザー操作が鋭利物ではないと判定した場合に、前記警告画面及び前記消去ボタンを前記表示部の画面上から消去させ、
前記判定部が前記消去ボタンに対するユーザー操作が鋭利物によるものと判定した場合には、前記消去を行わない請求項５に記載の電子機器。
【請求項７】
警告音を発生する警告部を更に備え、
前記制御部は、前記警告部に警告音を発生させる処理を、前記予め定められた処理として行う請求項１乃至請求項３のいずれかに記載の電子機器。
【請求項８】
前記制御部は、前記警告部に警告音を発生させると共に、前記警告部からの警告音を停止させるための停止ボタンを前記表示部の画面上に表示する処理を、前記予め定められた処理として行い、
更に、前記制御部は、
前記操作受付部が前記停止ボタンに対するユーザー操作を受け付けると、
前記判定部が前記停止ボタンに対するユーザー操作が鋭利物ではないと判定した場合には、前記警告音を停止させると共に、前記停止ボタンを前記表示部の画面上から消去させ、
前記判定部が前記停止ボタンに対するユーザー操作が鋭利物によるものと判定した場合には、前記停止及び前記消去を行わない請求項７に記載の電子機器。
【請求項９】
前記制御部は、前記操作画面に対するタッチ操作に基づく動作制御を禁止する処理を、前記予め定められた処理として行う請求項１乃至請求項３のいずれかに記載の電子機器。
【請求項１０】
前記禁止を解除する指示を、本電子機器の管理者から受け付ける指示受付部を更に備え、
前記制御部は、前記指示受付部が前記禁止を解除するユーザー指示を受け付けると、前記禁止を解除する請求項９に記載の電子機器。
【請求項１１】
前記制御部は、前記判定部により前記接触物が鋭利物であるとの判定が、連続して予め定められた回数行われたことを条件として、前記予め定められた処理を実行する請求項１乃至請求項１０のいずれかに記載の電子機器。
【請求項１２】
請求項１乃至請求項１１のいずれかに記載の電子機器と、
記録媒体に画像を形成する画像形成部と、を備えている画像形成装置。
【発明の詳細な説明】
【技術分野】
【０００１】
本発明は、タッチパネルを有する表示部を備える電子機器及び画像形成装置に関する。
【背景技術】
【０００２】
コピー機、ファクシミリ、プリンター、又はこれら機器の複数の機能を兼ね備えた複合機等の電子機器では、タッチパネルを有する表示部が採用されているものがある。利用者は、表示部の画面に触れることで、当該電子機器を操作することができる。
【先行技術文献】
【特許文献】
【０００３】
【特許文献１】特開２０１１−１４１３０８号公報
【特許文献２】特開２０１０−２６２３６４号公報
【特許文献３】特開２０１４−０１６６９２号公報
【発明の概要】
【発明が解決しようとする課題】
【０００４】
複合機等の利用者の中には、表示部の画面をペン先や爪などの鋭利物で叩いて、電子機器を操作する者が存在する場合がある。鋭利物での操作は画面を傷つけ、電子機器の破損や故障の原因となる場合がある。
【０００５】
上記の特許文献１には、表示部の周囲に突起部を設けて、転倒物や落下物による表示部の破壊を防ぐようにすることが記載されているが、鋭利物での操作から表示部の破損や故障を防ぐものではない。
【０００６】
また、上記の特許文献２及び３には、表示部の画面に対する接触強度が一定値を超えた場合に、不適切な行為が発生したと判定して、利用者に対して警告を行うことが記載されているが、鋭利物での操作を検知して警告を行うものではない。
【０００７】
本発明は、上記の事情に鑑みなされたものであり、タッチパネルを有する表示部の画面に対する鋭利物での操作を抑制して、当該表示部を保護することを目的とする。
【課題を解決するための手段】
【０００８】
本発明の一局面に係る電子機器は、タッチパネルを有する表示部と、前記表示部に表示されている操作画面に対するユーザー操作を、前記タッチパネルを介して受け付ける操作受付部と、前記操作受付部が受け付けたユーザー操作に応じて、本電子機器の動作を制御する制御部と、前記表示部において前記タッチパネルが設けられている画面部分に接触物が接触したときの接触圧力値及び接触面積を検出する検出部と、前記検出部が検出した接触圧力値及び接触面積に基づいて、前記接触物が鋭利物であるか否かを判定する判定部と、を備え、前記制御部は、前記判定部により前記接触物が鋭利物であると判定された場合に、鋭利物での操作を抑制するための予め定められた処理を実行する。
【０００９】
また、本発明の一局面に係る画像形成装置は、上記電子機器と、記録媒体に画像を形成する画像形成部と、を備えている。
【発明の効果】
【００１０】
本発明によれば、表示部の画面に接触した接触物が鋭利物であると判定された場合に、表示部に対する鋭利物での操作を抑制するための処理が実行されるので、鋭利物での操作を抑制して、当該表示部を保護することが可能となる。
【図面の簡単な説明】
【００１１】
【図１】本発明の一実施形態に係る電子機器としての画像形成装置の主要内部構成を概略的に示した機能ブロック図である。
【図２Ａ】表示部に表示される操作画面の一例を示した図である。
【図２Ｂ】表示部に表示される操作画面の一例を示した図である。
【図３】本発明の一実施形態に係る電子機器としての画像形成装置の制御ユニットで行われる処理の一例を示したフローチャートである。
【図４】本発明の一実施形態に係る電子機器としての画像形成装置の制御ユニットで行われる処理の一例を示したフローチャートである。
【図５】表示部に表示される警告画面の一例を示した図である。
【図６】本発明の一実施形態に係る電子機器としての画像形成装置の制御ユニットで行われる処理の一例を示したフローチャートである。
【図７】表示部に表示される案内画面の一例を示した図である。
【図８】本発明の一実施形態に係る電子機器としての画像形成装置の制御ユニットで行われる処理の一例を示したフローチャートである。
【発明を実施するための形態】
【００１２】
以下、本発明の一実施形態に係る電子機器及び画像形成装置について図面を参照して説明する。図１は、本発明の一実施形態に係る電子機器の主要内部構成を概略的に示した機能ブロック図である。
【００１３】
一実施形態に係る電子機器は、例えば、画像形成装置であって、画像形成装置１は、例えば、コピー機能、プリンター機能、スキャナー機能、及びファクシミリ機能のような複数の機能を兼ね備えた複合機である。画像形成装置１は、制御ユニット１０、原稿給送部６、原稿読取部５、画像形成部１２、定着部１３、給紙部１４、ブザー１１０、操作部４７、及びネットワークインターフェイス部９１を備える。
【００１４】
画像形成装置１で原稿読取動作が行われる場合について説明する。原稿給送部６により搬送されてきた原稿、又は図略のコンタクトガラスに載置されている原稿の画像を、原稿読取部５が光学的に読み取り、そして画像データを生成する。原稿読取部５により生成された画像データは、図略の画像メモリー等に保存される。
【００１５】
画像形成装置１で画像形成動作が行われる場合について説明する。原稿読取動作により生成された画像データや、ネットワーク接続された外部装置としてのコンピューターから受信した画像データ等に基づいて、画像形成部１２が、給紙部１４から給紙される記録媒体としての記録紙にトナー像を形成する。
【００１６】
定着部１３は、画像形成部１２によりトナー像が形成された記録紙を加熱及び加圧して、トナー像を記録紙に定着させるものであり、定着処理が施された記録紙は図略の排出トレイに排出される。給紙部１４は、給紙カセットを備える。
【００１７】
ブザー１１０は、警告音を発生する既知の機構である。なお、ブザー１１０は、特許請求の範囲における警告部の一例である。
【００１８】
操作部４７は、画像形成装置１が実行可能な各種動作及び処理について、操作者から、画像形成動作実行指示等の指示を受け付ける。操作部４７は、操作者への操作案内等を表示する表示部４７３と、圧力センサー４７４とを備えている。
【００１９】
表示部４７３はタッチパネルを有しており、操作者は画面表示されるボタンやキーに触れて画像形成装置１を操作することができる。
【００２０】
圧力センサー４７４は、表示部４７３の画面に加えられた圧力（押圧力）を計測して抵抗値などの電気信号に変換して出力する既知のセンサーである。圧力センサー４７４は、表示部４７３の画面に対する接触物の接触圧力値を検出する。また、圧力センサー４７４は、上記画面において検出した圧力の分布に基づいて、表示部４７３の画面に対する接触物の接触面積を検出する。なお、圧力センサー４７４は、特許請求の範囲における検出部の一例である。
【００２１】
ネットワークインターフェイス部９１は、ローカルエリア内、又はインターネット上の端末装置やサーバー等の外部装置２０と種々のデータの送受信を行うものである。
【００２２】
制御ユニット１０は、プロセッサー、ＲＡＭ（Random Access Memory）、ＲＯＭ（Read Only Memory）、及び専用のハードウェア回路を含んで構成される。プロセッサーは、例えばＣＰＵ（Central Processing Unit）、ＡＳＩＣ（Application Specific Integrated Circuit）、又はＭＰＵ（Micro Processing Unit）等である。制御ユニット１０は、制御部１００と、操作受付部１０１と、判定部１０４とを備えている。
【００２３】
制御ユニット１０は、ＨＤＤ（Hard Disk Drive）９２に記憶されている制御プログラムに従った上記プロセッサーによる動作により、制御部１００、操作受付部１０１、及び判定部１０４として機能する。但し、制御部１００等は、制御ユニット１０による制御プログラムに従った動作によらず、それぞれハードウェア回路により構成することも可能である。以下、特に触れない限り、各実施形態について同様である。
【００２４】
制御部１００は、画像形成装置１の全体的な動作制御を司る。制御部１００は、原稿給送部６、原稿読取部５、画像形成部１２、定着部１３、給紙部１４、ブザー１１０、操作部４７、及びネットワークインターフェイス部９１と接続され、これら各部の駆動制御等を行う。例えば、制御部１００は、操作受付部１０１が受け付けたユーザー操作に応じて、画像形成装置１の動作を制御する。
【００２５】
操作受付部１０１は、操作部４７を介したユーザーからの操作入力を受け付ける。例えば、操作受付部１０１は、操作部４７が備えるハードキーに対するユーザー操作を受け付け、更には、表示部４７３に表示されている操作画面に対するユーザー操作を、表示部４７３が有するタッチパネルを介して受け付ける。
【００２６】
また、操作受付部１０１は、選択受付部１０２と、指示受付部１０３とを備えるが、選択受付部１０２及び指示受付部１０３については、後で説明する。
【００２７】
判定部１０４は、圧力センサー４７４が検出した接触圧力値及び接触面積に基づいて、表示部４７３の画面に接触した接触物が鋭利物であるか否かを判定する。例えば、判定部１０４は、接触圧力値が予め定められた値以上であり、かつ、接触面積が予め定められた大きさ以下であるとき、接触物が鋭利物であると判定する。
【００２８】
制御部１００は、判定部１０４により接触物が鋭利物であると判定された場合に、鋭利物での操作を抑制するための予め定められた処理を実行する。なお、当該予め定められた処理としては、以下の４つが挙げられる。
【００２９】
＜処理１＞制御部１００は、表示部４７３に表示される操作画面を拡大して表示させる。指ではなく、ペン先や爪などの鋭利物でユーザーがタッチ操作を行う理由の一つとして、操作画面上に形成される操作ボタンが小さく、指での操作が難しいことが考えられる。操作画面を拡大して表示すれば、操作ボタンを拡大することができ、指での操作困難性を排除することが可能となる。例えば、制御部１００は、図２Ａに例を示す標準の大きさで表示される標準画面Ｄ１を、予め定められた大きさだけ拡大させた拡大画面Ｄ２に切り替えて表示部４７３に表示させる。
【００３０】
＜処理２＞制御部１００は、鋭利物での操作が不適切な行為であることをユーザーに認識させるための警告画面を表示部４７３の画面上に表示させる。例えば、制御部１００は、「尖ったものでの操作は禁止」といったメッセージが記された警告画面を表示させる。この警告画面による注意喚起により、鋭利物での操作が不適切な行為であることユーザーに認識させる。
【００３１】
＜処理３＞制御部１００は、ブザー１１０に警告音を発生させる。警告音が鳴れば、警告音が鳴る原因となった行為（すなわち、鋭利物での操作）が好ましいものでないことをユーザーに認識させることが可能となる。
【００３２】
＜処理４＞制御部１００は、表示部４７３に表示されている操作画面に対するタッチ操作に基づく画像形成装置１の各機構についての動作制御を禁止する。これにより、画像形成装置１に対する操作の操作性が低下するが、操作性の低下をユーザーは望まないはずである。従って、「鋭利物で操作すれば、操作性が低下する」という事実を認識したユーザーに、鋭利物での操作を躊躇させることが可能となり、鋭利物での操作を抑えるようになる効果が期待できる。
【００３３】
制御部１００は、上記予め定められた処理として、上記処理１乃至処理４の複数の処理を記憶している。選択受付部１０２は、制御部１００に実行させる処理のユーザー選択を受け付ける。例えば、選択受付部１０２は、制御部１００が表示部４７３に表示させた操作画面Ｐ１（図２Ｂを参照）及びタッチパネルを介して、当該ユーザー選択を受け付ける。
【００３４】
図２Ｂは、表示部４７３に表示される操作画面の一例を示した図である。操作画面Ｐ１には「ペン先や爪などの鋭利物での操作が検出された場合の対処法を選択してください。」というメッセージＭ１が表示されている。
【００３５】
また、操作画面Ｐ１には「操作画面を拡大させる」と記された選択ボタンＢ１、「警告画面を表示させる」と記された選択ボタンＢ２、「警告音を鳴らす」と記された選択ボタンＢ３、及び「タッチ操作を禁止する」と記された選択ボタンＢ４が形成され、更には、「決定」と記された実行ボタンＢ５が表示されている。
【００３６】
ユーザーは、選択ボタンＢ１乃至Ｂ４のいずれかをタッチ操作した後に、実行ボタンＢ５をタッチ操作することで、実行させる処理として上記処理１乃至処理４のいずれかを選択する指示が入力され、制御部１００に受け付けられる。例えば、ユーザーが、選択ボタンＢ１をタッチ操作した後に、実行ボタンＢ５をタッチ操作すると、制御部１００に実行させる処理として上記処理１を選択する指示が入力される。
【００３７】
なお、操作画面Ｐ１については、誰でもが自由に操作できるのは好ましくないため、予め定められた特定の操作が操作部４７に対して実行された場合やパスワードが入力された場合に限定して、制御部１００が表示部４７３に表示させるようにしてもよい。これにより、例えば、画像形成装置１の管理者（上記操作手順やパスワードを知っている者）だけが上記選択する指示を入力できるようにすることが可能になる。
【００３８】
次に、一実施形態に係る画像形成装置１の制御ユニット１０で行われる処理の一例について、図３に示したフローチャートに基づいて説明する。なお、この処理は、圧力センサー４７４が表示部４７３の画面への接触物を検出した時点で開始される。
【００３９】
圧力センサー４７４が表示部４７３の画面への接触物を検出すると、判定部１０４は、圧力センサー４７４から出力された接触圧力値及び接触面積を示す情報を取得し（Ｓ１）、取得した情報に基づいて、表示部４７３の画面に接触した接触物が鋭利物であるか否かを判定する（Ｓ２）。
【００４０】
判定部１０４が、接触物が鋭利物であると判定した場合（Ｓ２でＹＥＳ）、制御部１００は、表示部４７３の画面へ鋭利物が連続で接触した回数をカウントするためのカウンターＣが１以上であるか否かを判断する（Ｓ３）。カウンターＣの初期設定値は０であり、後で詳しく説明するが、判定部１０４により接触物が鋭利物であると判定されると、Ｓ５において、制御部１００がカウンターＣに１を加算する（インクリメントする）。
【００４１】
制御部１００は、カウンターＣが１以上であると判断した場合（Ｓ３でＹＥＳ）、制御ユニット１０に内蔵されたタイマーで計測される、表示部４７３の画面への鋭利物の前回の接触から今回の接触までの経過時間Ｔが一定時間Ｔ１（例えば、６０秒）に達しているか否かを判断する（Ｓ４）。
【００４２】
制御部１００は、経過時間Ｔが一定時間Ｔ１に達していないと判断した場合（Ｓ４でＮＯ）、表示部４７３の画面への鋭利物の接触が連続して行われているとして、制御部１００は、カウンターＣに１を加算し（Ｓ５）、経過時間Ｔを０にリセットする（Ｓ６）。
【００４３】
続いて、制御部１００は、カウンターＣが予め定められた回数Ｃ１（例えば、３回）に達しているか否かを判断し（Ｓ７）、カウンターＣが回数Ｃ１に達していると判断した場合（Ｓ７でＹＥＳ）、表示部４７３の画面への鋭利物での接触が回数Ｃ１連続していることになるので、制御部１００は、選択受付部１０２が事前に受け付けた上記処理１乃至処理４のいずれかの処理を実行し（Ｓ８）、カウンターＣを０にリセットする（Ｓ９）。この処理を終了する。なお、上記処理１乃至処理４に対する具体的な実行内容については、後で説明する。
【００４４】
一方、制御部１００は、カウンターＣが回数Ｃ１に達していないと判断した場合（Ｓ７でＮＯ）、この処理を終了する。
【００４５】
また、制御部１００は、Ｓ３において、カウンターＣが１以上でない（カウンターＣは０である）と判断した場合（Ｓ３でＮＯ）や、Ｓ４において、経過時間Ｔが一定時間Ｔ１に達していると判断した場合（Ｓ４でＹＥＳ）、表示部４７３の画面への鋭利物での接触は連続していないことになるので、カウンターＣを１に設定し（Ｓ１０）、経過時間Ｔを０にリセットし（Ｓ１１）、この処理を終了する。
【００４６】
また、Ｓ２において、判定部１０４が、接触物が鋭利物でないと判定した場合（Ｓ２でＮＯ）、制御部１００は、カウンターＣを０にリセットし（Ｓ９）、この処理を終了する。
【００４７】
次に、制御部１００が上記処理１乃至処理４のいずれかを実行する場合について説明する。
【００４８】
上記処理１を実行する場合、制御部１００は、表示部４７３に表示されている操作画面を予め定められた倍率に拡大して表示する（図２Ａ参照）。画像形成装置１が表示部４７３の画面モードの切り替えが可能に構成されている場合、制御部１００は、表示される各ボタンやメッセージ等を標準の大きさで表示する標準モードから、当該標準の大きさよりも大きいサイズで各ボタンやメッセージ等を表示する拡大モードに切り替えて、表示部４７３に画面表示を行われるようにしてもよい。
【００４９】
続いて、制御部１００が上記処理２を実行する場合について、図４に示したフローチャートに基づいて説明する。上記処理２を実行する場合、制御部１００は、表示部４７３を制御して、鋭利物での操作が不適切な行為であることをユーザーに認識させるための警告画面Ｐ２（図５を参照）を表示部４７３に表示する（Ｓ２１）。
【００５０】
図５は、表示部４７３に表示される警告画面の一例を示した図である。警告画面Ｐ２には「やめてください！ペン先や爪などの鋭利物での操作は故障の原因となります。」というメッセージＭ２が表示されている。また、警告画面Ｐ２には「消去」と記された消去ボタンＢ６が表示され、ユーザーは、消去ボタンＢ６をタッチ操作することで、警告画面Ｐ２を表示部４７３の画面上から消去させる指示を入力可能とされている。
【００５１】
操作受付部１０１が、消去ボタンＢ６に対するユーザー操作を受け付けると（Ｓ２２でＹＥＳ）、判定部１０４は、圧力センサー４７４から出力された接触圧力値及び接触面積を示す情報を取得し（Ｓ２３）、取得した情報に基づいて、表示部４７３の画面に接触した接触物が鋭利物であるか否かを判定する（Ｓ２４）。
【００５２】
判定部１０４が、接触物が鋭利物でないと判定した場合（Ｓ２４でＮＯ）、制御部１００は、表示部４７３を制御して、消去ボタンＢ６が形成された警告画面Ｐ２を表示部４７３から消去させ（Ｓ２５）、上記処理２を終了する。
【００５３】
一方、判定部１０４が、接触物が鋭利物であると判定した場合（Ｓ２４でＹＥＳ）、警告画面Ｐ２を表示部４７３から消去させない。処理はＳ２２へ戻る。
【００５４】
続いて、制御部１００が上記処理３を実行する場合について、図６に示したフローチャートに基づいて説明する。上記処理３を実行する場合、制御部１００は、ブザー１１０を制御して警告音を鳴らさせると共に（Ｓ３１）、案内画面Ｐ３（図７を参照）を表示部４７３に表示させる（Ｓ３２）。
【００５５】
図７は、表示部４７３に表示される案内画面の一例を示した図である。案内画面Ｐ３には「停止ボタンを押せば、警告音は停止します。」というメッセージＭ３が表示されている。また、案内画面Ｐ３には「停止」と記された停止ボタンＢ７が形成され、ユーザーは、停止ボタンＢ７をタッチ操作することで、警告音を停止させる指示を入力可能とされている。
【００５６】
操作受付部１０１が、停止ボタンＢ７に対するユーザー操作を受け付けると（Ｓ３３でＹＥＳ）、判定部１０４は、圧力センサー４７４から出力された接触圧力値及び接触面積を示す情報を取得し（Ｓ３４）、取得した情報に基づいて、表示部４７３の画面に接触した接触物が鋭利物であるか否かを判定する（Ｓ３５）。
【００５７】
判定部１０４が、接触物が鋭利物でないと判定した場合（Ｓ３５でＮＯ）、制御部１００は、ブザー１１０を制御して、警告音を停止させると共に（Ｓ３６）、表示部４７３を制御して、停止ボタンＢ７が形成された案内画面Ｐ３を表示部４７３から消去させる（Ｓ３７）。この後、処理は終了する。
【００５８】
一方、判定部１０４が、接触物が鋭利物であると判定した場合（Ｓ３５でＹＥＳ）、警告音を停止させない。処理はＳ３３へ戻る。
【００５９】
更に、制御部１００が上記処理４を実行する場合について、図８に示したフローチャートに基づいて説明する。上記処理４を実行する場合、制御部１００は、表示部４７３に表示されている操作画面に対するタッチ操作に基づく動作制御を禁止する（Ｓ４１）。その後、制御部１００は、ネットワークインターフェイス部９１を介して、予め登録されている端末装置（例えば、管理者の使用する端末装置）へ、上記禁止が行われたことを示すメッセージ情報を送信して（Ｓ４２）、上記禁止が行われたことを管理者へ通知する。
【００６０】
続いて、制御部１００は、指示受付部１０３が、上記禁止を解除するユーザー指示をユーザーから受け付けたか否かを判断する（Ｓ４３）。なお、上記禁止を解除する指示は、誰でも自由に入力できることは好ましくなく、予め定められた特定の操作が実行された場合やパスワードが入力された場合にのみ、上記禁止が解除されるようにすることが好ましい。これにより、例えば、画像形成装置１の管理者（上記操作手順やパスワードを知っている者）だけが上記選択を行えるようにすることができる。また、このとき、タッチ操作に基づく制御が禁止されているので、上記禁止を解除する操作としては、例えば、ユーザーが操作部４７に設けられているハードキーを予め定められた手順で操作し、当該ユーザー操作を指示受付部１０３が受け付ける、といった方法が挙げられる。
【００６１】
制御部１００は、指示受付部１０３が、上記禁止を解除するユーザー指示を受け付けたと判断した場合（Ｓ４３でＹＥＳ）、上記制御の禁止を解除する（Ｓ４４）。この後、処理は終了する。
【００６２】
上記実施形態によれば、表示部４７３の画面に接触した接触物が鋭利物であると判定された場合に、鋭利物での操作を抑制して、当該表示部を保護することが可能となる。
【００６３】
また、鋭利物での操作が連続して複数回判定された場合に、上記処理１〜処理４のいずれかが実行されるので、ノイズの影響で、鋭利物での操作と誤って判定された場合に、必要でないのに上記処理が実行されるのを防止することができる。
【００６４】
本発明は上記実施の形態の構成に限られず種々の変形が可能である。例えば、上記実施形態では、制御部１００が、鋭利物での操作が連続して複数回判定された場合に上記処理１〜処理４のいずれかを実行するものとしているが、これに代えて、(i)鋭利物での操作が単に一度行われた時点で、制御部１００が上記処理１〜処理４のいずれかを実行するものとしてもよいし、また、(ii)経過時間を問わず、鋭利物での操作が複数回判定された場合に、制御部１００が上記処理１〜処理４のいずれかを実行するものとしてもよい。
【００６５】
また、上記実施形態では、本発明に係る電子機器の一実施形態として画像形成装置である複合機を用いて説明しているが、これは一例に過ぎず、コピー機能、プリンター機能、スキャナー機能、ファクシミリ機能を有した他の画像形成装置や、他の電子機器などでもよい。
【００６６】
また、上記実施形態では、図１乃至図８を用いて上記実施形態により示した構成及び処理は、本発明の一実施形態に過ぎず、本発明を当該構成及び処理に限定する趣旨ではない。
【符号の説明】
【００６７】
１        画像形成装置
１０      制御ユニット
１２      画像形成部
１００    制御部
１０１    操作受付部
１０２    選択受付部
１０３    指示受付部
１０４    判定部
１１０    ブザー
４７３    表示部
４７４    圧力センサー
【図１】
2019185560.tif 000003
【図２Ａ】
2019185560.tif 000004
【図２Ｂ】
2019185560.tif 000005
【図３】
2019185560.tif 000006
【図４】
2019185560.tif 000007
【図５】
2019185560.tif 000008
【図６】
2019185560.tif 000009
【図７】
2019185560.tif 000010
【図８】
2019185560.tif 000011